(57)【要約】【課題】両面に広告を表示することができ、見映えが良くて、自立姿勢が安定しており、組立てが容易であり、使用後に片付けるのが容易であり、保管する際に場所をとらない、新規な構造の自立式広告板を提供する。【解決手段】  基板２，２が貼り合わせ部で貼り合わさった広告板において、前記基板２，２の下部に折り曲げて脚部２５，２５とする折線があり、前記折線を利用して、一対の脚部２５，２５を開脚及び閉脚させる構成である。【選択図】  図１
2015232683.tif 000002
【特許請求の範囲】
【請求項１】
広告を表示させる基板が互いに部分的に貼り合わさった広告板であり、前記基板の下部に前記基板が貼り合わさっておらずに折り曲げて脚部とする折線があり、前記折線を利用して、前記脚部を開脚及び閉脚させることを特徴とする自立式広告板。
【請求項２】
前記基板は、基材とその両側にそれぞれ接着された第１のシートと第２のシートからなる多層構造であり、前記第１のシートと前記第２のシートを折り曲げることを特徴とする請求項１記載の自立式広告板。
【請求項３】
前記基板の貼り合わせは、前記広告板の中央よりも下で前記脚部よりも上の位置にて貼り合わさった第１の貼り合わせ部と、前記脚部よりも下の位置にて貼り合わさった第２の貼り合わせ部があり、前記第１の貼り合わせ部と前記第２の貼り合わせ部とが嵌め合わされることで、一対の前記脚部が開脚状態になることを特徴とする請求項１または２記載の自立式広告板。
【請求項４】
前記第１の貼り合わせ部と前記第２の貼り合わせ部の間の位置に、前記基板が貼り合わさっていない脚規制部が前記脚部と連接して形成されており、前記広告板を直立させたときの前記脚部の開き角度が、前記脚規制部が一対の前記脚部の開脚した間に入り込むことによって規制されることを特徴とする請求項３記載の自立式広告板。
【請求項５】
前記広告板を直立させたときの前記脚部の接地とともに、前記第２の貼り合わせ部が、一対の前記脚部の開脚した間の位置において接地することを特徴とする請求項４記載の自立式広告板。
【請求項６】
前記折線に加えてさらに、前記広告板の中央部に前記広告板を上下に二つ折りにする折線を入れるとともに、前記広告板の上部に前記基板を互いに接離可能とするマグネットシートや面ファスナなどの接離手段を配したことを特徴とする請求項１から５のいずれか一項記載の自立式広告板。
【発明の詳細な説明】
【技術分野】
【０００１】
本発明は、自立式広告板に関する。
【背景技術】
【０００２】
広告をする一般的な方法としては、チラシやポスター等の紙媒体に広告内容を表示し、当該紙媒体を直接配布するか、または掲示板や壁面等に掲示する方法が知られている。紙媒体を直接配布する方法は、同時に多くの人に伝えることが難しく、コスト面でも問題がある。紙媒体を掲示板や壁面等に掲示する方法は、掲示場所が限られており、目立ち難いといった問題がある。テレビジョンシステムやインターネットシステムを介した広告の仕方もあるが、テレビ受像機や情報端末等の設備が必須であり、仕組みが大掛かりとなるという問題がある。
【０００３】
本明細書では、便宜上、広告、告知、宣伝等であって視覚に訴えるものを広告として取り扱う。
【０００４】
自動車ディーラーのショールームや、デパートの販売フロアーなどでは、人目に立つように立て看板を配置して広告を行っている。
立て看板は、自立可能なものが使い勝手が良いことから、脚を備えたものが幾つか検討されている。
【０００５】
特許文献１には、同一平面内に連なる表示部上部・表示部下部の、該表示部下部に自立装置を形成するためのフラップを連設した一枚のブランクからなる立て看板（その請求項１）、が記載されている。
【０００６】
特許文献２には、板材からなる広告板部と、該広告板部の上部部分により形成されもしくは該広告板部の裏面上部に固定され、折り目を介して前記広告板部の裏面側に折れ曲がり可能な上板部と、前記広告板部の下部部分により形成されもしくは該広告板部の裏面下端に固定され、折り目を介して前記広告板部の裏面側に折れ曲がり可能な底板部と、該広告板部の裏面に上下方向に延びるように固定されるとともに前記広告板部の上下方向に起立可能とする第１の折り目を有し、かつ上部が前記上板部に固定され、下部が前記底板部に固定された支持板部とを備え、前記支持板部の非起立時には該支持板部は前記広告板部の裏面に重なり合い、かつ、該支持板部を起立させることにより、前記上板部および前記底板部が前記広告板部の裏面側に起立し自立可能な広告体であって、前記支持板部は、下部に前記第１の折り目とのなす角度が９０度以内となるように形成されるとともに、起立時に折れ曲がり起立した前記底板部と接触可能な第２の折り目と、該支持板部の非起立時に折れ曲がり該支持板部を前記広告板部の裏面に重なり合わせるための第３の折り目とを備える自立可能な広告体（その請求項１）、が記載されている。
【先行技術文献】
【特許文献】
【０００７】
【特許文献１】特開平１１−３５２８８３号公報
【特許文献２】特開２００５−１０７０１６号公報
【発明の概要】
【発明が解決しようとする課題】
【０００８】
しかしながら、特許文献１と特許文献２記載の既知の広告体は、表側と裏側とで構造が異なっており、特に裏側の見映えが悪く、自立姿勢が不安定である。さらには、組立てが煩雑であり、使用後に片付けるのが煩雑であり、保管する際に場所を占有する、という問題点がある。
【０００９】
そこで本発明の目的は、表側と裏側とで同じ構造を採用することで両面に広告を表示することができ、見映えが良くて、自立姿勢が安定しており、組立てが容易であり、使用後に片付けるのが容易であり、保管する際に場所をとらない、新規な構造の自立式広告板を提供することにある。
【課題を解決するための手段】
【００１０】
本発明の自立式広告板は、広告を表示させる基板が互いに部分的に貼り合わさった広告板であり、前記基板の下部に前記基板が貼り合わさっておらずに折り曲げて脚部とする折線があり、前記折線を利用して、前記脚部を開脚及び閉脚させることを特徴とする。
【００１１】
本発明によれば、両面広告表示ができるとともに対称配置によって見映えが良くなり、使用する際には、一対の前記脚部が開脚することによって自立姿勢が安定する。尚且つ、使用後は、一対の前記脚部が閉脚することによって平板が重なり合った状態となるため、搬送や保管が容易となり、収納の際には省スペースとなる。
【００１２】
本発明は、前記基板は、基材とその両側にそれぞれ接着された第１のシートと第２のシートからなる多層構造であり、前記第１のシートと前記第２のシートを折り曲げることを特徴とする。
【００１３】
本発明によれば、前記折線に沿って折り曲げることが容易となり、山折と谷折りの両方を繰り返し行うことができるから、信頼性の高い広告板となる。さらに、前記第１のシートと前記第２のシートに、予め、広告を印刷しておくことができるので、合理的な製造ができる。
【００１４】
前記基材としては、ある程度の厚みがあって軽量で硬質な材料が好ましい。これにより、自立姿勢が安定し、搬送が容易となり、低コストとなる。例えば、前記基材としては、スチレンボード、段ボール、アクリル板、ポリカーボネート板、炭素繊維板、ハニカム構造板、合板、その他既知の板材が挙げられる。例えば、前記基材の厚みとしては、３〜７ｍｍ、５〜１０ｍｍ、１０〜２０ｍｍ、１５〜３０ｍｍ、２５〜５０ｍｍ、その他規格寸法の板材が使用できる。
【００１５】
前記第１のシートと前記第２のシートとしては、ある程度薄くて腰があって印刷が容易な材料が好ましい。これにより、折目の信頼性が向上し、印刷品質も高くなる。例えば、前記第１のシートと前記第２のシートとしては、紙、合成紙、コーティング紙、ポリエチレンシート、ポリスチレンシート、ビニルシート、布、アルミシート、その他既知のシート材が挙げられる。例えば、前記  前記第１のシートと前記第２のシートの厚みとしては、２５〜７５μｍ、５０〜１００μｍ、１００〜２００μｍ、１５０〜３００μｍ、２５０〜５００μｍ、その他規格寸法のシート材が使用できる。前記第１のシートと前記第２のシートは、同じ材質としてもよいし、それぞれ材質を異ならせることも可能である。
【００１６】
本発明は、前記基板の貼り合わせは、前記広告板の中央よりも下で前記脚部よりも上の位置にて貼り合わさった第１の貼り合わせ部と、前記脚部よりも下の位置にて貼り合わさった第２の貼り合わせ部があり、前記第１の貼り合わせ部と前記第２の貼り合わせ部とが嵌め合わされることで、一対の前記脚部が開脚状態になることを特徴とする。
【００１７】
本発明によれば、一対の前記脚部を開脚するときに、前記第１の貼り合わせ部と前記第２の貼り合わせ部とが嵌め合わされることで、前記脚部の開き角度を調節することが容易となる。そして、一対の前記脚部の開脚動作及び閉脚動作は、前記第２の貼り合わせ部を把持して操作することで容易に行うことができる。
【００１８】
本発明は、前記第１の貼り合わせ部と前記第２の貼り合わせ部の間の位置に、前記基板が貼り合わさっていない脚規制部が前記脚部と連接して形成されており、前記広告板を直立させたときの前記脚部の開き角度が、前記脚規制部が一対の前記脚部の開脚した間に入り込むことによって規制されることを特徴とする。
【００１９】
本発明によれば、一対の前記脚部の開き角度が、設定された範囲内に規制されるので、安定した自立姿勢を確保することができる。
【００２０】
前記脚部の開き角度は、９０〜１５０度の範囲内で設定される。好ましくは、前記脚部の開き角度は、１１０〜１３０度の範囲内で設定される。
【００２１】
本発明は、前記広告板を直立させたときの前記脚部の接地とともに、前記第２の貼り合わせ部が、一対の前記脚部の開脚した間の位置において接地することを特徴とする。
【００２２】
本発明によれば、前記開脚する一対の脚部を外側の脚部とすると、前記第２の貼り合わせ部が中央の脚部となって、これらが接地することで接地面積が確保されて、より安定した自立姿勢となる。
【００２３】
本発明は、前記折線に加えてさらに、前記広告板の中央部に前記広告板を上下に二つ折りにする折線を入れるとともに、前記広告板の上部に前記基板を互いに接離可能とするマグネットシートや面ファスナなどの接離手段を配したことを特徴とする。
【００２４】
本発明によれば、保管するときや移動するときには前記広告板を約半分の大きさにすることができ、取り扱いが容易となる。また、使用するときには前記広告板を約２倍の大きさにすることができ、見映えがする。
【００２５】
前記基板のサイズが大きくなると反りや歪みが生じ易くなるため、前記接離部材としては、マグネットシートが特に好ましい。マグネットシートは、互いの磁力で引き合うため、前記基板に反りや歪みが生じている場合でも支障なく前記基板を互いに接離可能とするからである。
【００２６】
さらには、前記広告板を上下に二つ折りにすることで、内側のデザインを外部表示することが可能となり、広告表示の形態及び広告内容をイメージチェンジする使い方もできる。
【発明の効果】
【００２７】
本発明の自立式広告板によれば、両側が広告面となって見映えが良く、自立姿勢が安定する。そして、前記脚部は簡単に閉じることができるので、搬送や保管が容易となり、収納の際には省スペースとなる。
【００２８】
本発明によれば、前記折線に沿って折り曲げることが容易となり、山折と谷折りの両方を繰り返し行うことができるので、信頼性の高い広告板となる。そして、本発明によれば、保管するときや移動するときには前記広告板を約半分の大きさにすることができ、取り扱いが容易となる。また、使用するときには前記広告板を約２倍の大きさにすることができ、見映えがする。
【図面の簡単な説明】
【００２９】
【図１】本発明の実施形態の自立式広告板を開脚させた自立状態を正面側から示す斜視図である。
【図２】上記実施形態の自立式広告板の正面図である。
【図３】上記実施形態の自立式広告板の側面図である。
【図４】上記実施形態の自立式広告板の平面図である。
【図５】上記実施形態の自立式広告板の底面図である。
【図６】上記実施形態の自立式広告板のＡ−Ａ断面図である。
【図７】上記実施形態の自立式広告板のＢ−Ｂ断面図である。
【図８】上記実施形態の自立式広告板を閉脚させた非自立状態を示す正面図である。
【図９】上記実施形態の自立式広告板の側面図である。
【図１０】上記実施形態の自立式広告板のＢ−Ｂ断面図である。
【図１１】上記実施形態に係る基板の一部を拡大して示す側面図である。
【図１２】本発明の実施例の自立式広告板を開脚させた自立状態を正面側から示す斜視図である。
【図１３】上記実施例の自立式広告板を開脚させた自立状態を背面側から示す斜視図である。
【図１４】上記実施例の自立式広告板を閉脚させた非自立状態を示す斜視図である。
【図１５】上記実施例の自立式広告板を折り畳んだ状態を正面側から示す斜視図である。
【発明を実施するための形態】
【００３０】
以下、本発明を実施するための具体的な形態について図面を用いて説明する。
【００３１】
（本発明の実施形態）
図１は、本発明の実施形態の自立式広告板１を開脚させた自立状態を正面側から示す斜視図である。本実施形態の自立式広告板１は、その正面図と背面図とが同一または対応している。
そして、本実施形態の自立式広告板１は、一対の基板２が貼り合わせ部２２で貼り合わさっている（図１）。ここでは、基板２の上部を符号２１とし、下部を符号２２としているが、上部２１と下部２２の間で半分に折り畳まれるようになっている。
【００３２】
そして、前記基板２の下部に折り曲げて脚部２５とする折線Ｐ１−Ｐ１が入っており、この折線Ｐ１−Ｐ１を利用して、一対の脚部２５，２５を開脚させることによって自立可能な状態となる（図１と図２）。使用後は、折線Ｐ１−Ｐ１を利用して、一対の脚部２５，２５を閉脚させる（図８）。図１に示す例では、脚部２５は台形状を呈しており、その底辺の中ほどが切り取られた形状となっており、その左右の両端側が接地する脚部２５を形成する。一対の脚部２５，２５の位置では、基板２は貼り張り合わされておらず、左右に開脚する。
【００３３】
図１〜図７は、本実施形態の自立式広告板１の開脚状態を示している。図２は、自立式広告板１の正面図である。図３は、自立式広告板１の側面図である。図４は、自立式広告板１の平面図である。図５は、自立式広告板１の底面図である。図６は、自立式広告板１のＡ−Ａ断面図である。図７は、自立式広告板１のＢ−Ｂ断面図である。ここでは、正面図と背面図とは同一であるため背面図を省略している。
【００３４】
図８〜図１０は、本実施形態の自立式広告板１の閉脚状態を示している。図８は、自立式広告板１の正面図である。図９は、自立式広告板１の側面図である。図１０は、自立式広告板１のＢ−Ｂ断面図である。ここでは、正面図と背面図とは同一であるため背面図を省略している。
【００３５】
各図において、符号Ｐ１、Ｐ２、Ｐ３、Ｐ４は折線であり、点線で表わされている。各図において、符号Ｐ１４、Ｐ２４、Ｐ３４，Ｐ４４は切断線であり、実線で表されている。
【００３６】
図７と図１０において、符号８はマグネットシートが接離手段として配されており、また、ハッチング箇所は貼り合わされた面を表している。接離手段としては、既知の接着剤が使用でき、面ファスナを用いてもよい。これらを介して、上部２１の基板２が貼り合わさった状態になる。
【００３７】
図１１は、本実施形態に係る基板２の一部を拡大して示す側面図である。本実施形態は、前記基板２は、基材２３とその両側にそれぞれ接着された第１のシート２１と第２のシート２２からなる多層構造であり、ここでは、三層構造となっている。基材２はスチレンボードであり、第１のシート２１と第２のシート２２は印刷された合成紙である。
【００３８】
前記基板２は１枚物の基板であるが、折線Ｐ１、Ｐ２、Ｐ３、Ｐ４に沿って基材２３が切断されている。これによって、前記折線に沿って折り曲げることが容易となり、山折と谷折りの両方を繰り返し行うことができるから、信頼性の高い広告板１と言える。
【００３９】
前記基板２，２の貼り合わせは、前記広告板の中央よりも下で脚部２５よりも上の位置にて貼り合わさった第１の貼り合わせ部２２と、脚部２５よりも下の位置にて貼り合わさった第２の貼り合わせ部２７があり、第１の貼り合わせ部２２の嵌め合わせ部２２ａと第２の貼り合わせ部２７の嵌め合わせ部２７ａとが嵌め合わされると、一対の脚部２５，２５が開脚状態になる（図５と図８を参照）。
【００４０】
つまり、前記第２の貼り合わせ部２７の端部２７ａは、基板２が貼り合わさっており、自立式広告板１の接地面の一部を構成している（図５と図８を参照）。脚規制部２６は、基板２２が貼り合わさっておらず、開脚動作をさせたときに、第１の貼り合わせ部２２と第２の貼り合わせ部２７とが嵌め合わされる（図５と図８を参照）。これらの動作は、第２の貼り合わせ部２７を把持してスライドさせることで容易に行うことができる。なお、脚部２５は、基板２が貼り合わさっていない。
【００４１】
本実施の形態では、前記第１の貼り合わせ部２２の端部２２ａは接地面の一部を構成しており、第１の貼り合わせ部２２の嵌め合わせ部２２ｂと第２の貼り合わせ部２７の嵌め合わせ部２７ｂとが嵌め合わされると、第１の貼り合わせ部２２の端部２２ａと第２の貼り合わせ部２７の端部２７ａとが直線状に連なった接地面となる。したがって、一対の脚部２５、２５が外側から前記広告板本体を支えるとともに、前記広告板本体の端部２２ａ，２７ａが直線状に連なった接地面となって、より安定した自立状態となる（図５と図８を参照）。
【００４２】
例えば、前記第１の貼り合わせ部２２と第２の貼り合わせ部２７とが嵌め合わせは、嵌め合わせ位置をいくつか設けておくことで、前記脚部の開き角度を調節することができる。図８に示す例は、第１の貼り合わせ部２２の嵌め合わせ部２２ｂと第２の貼り合わせ部２７の嵌め合わせ部２７ｂとが嵌め合わされる例であり、例えば、嵌め合わせ部２２ｂを複数の位置に階段状に形成しておくことで、段階的に嵌め合わせ位置を調節可能な構成となり、一対の脚部２５、２５の開き角度Ｋ１を段階的に調節することができる。
【００４３】
本実施形態は、自立式広告板１が直立した状態では、脚部２５の開き角度Ｋ１は、１１０〜１３０度の範囲内で設定される（図６を参照）。図８における、符号９１，９２は切断線である。脚規制部２６が前記開き角度Ｋ１を規制する際に、半円部９２が立って、台形部９１が当該半円部９２の側面に当接することでも前記開き角度Ｋ１が規制されることとなる。
【００４４】
本実施形態は、前記広告板の中央部に前記広告板を上下に二つ折りにする折線Ｐ２−Ｐ２を入れており（図２、図８）、これによって、保管するときや移動するときには前記広告板を約半分の大きさにすることができ、取り扱いが容易となる。また、使用するときには前記広告板を約２倍の大きさにすることができ、見映えがする。
【００４５】
（実施例）
図１２と図１３は、本実施例の自立式広告板１の開脚状態を示している。図１２は、実施例の自立式広告板１の自立状態を正面側から示す斜視図である。図１３は、自立式広告板１の自立状態を背面側から示す斜視図である。図１４は、実施例の自立式広告板１を閉脚させた非自立状態を示す斜視図である。そして、図１５は、実施例の自立式広告板１を折り畳んだ状態を正面側から示す斜視図である。ここで、同一の符号は同じ機能を表しており、その説明を省略する。本実施例の自立式広告板１は、正面図と背面図とが一対一で対応している。実施例は、ギターの図柄が大きく表示されるとともに、その横にＢＩＧＳＡＬＥの文字が表示される自立式広告板１であり、その中央のＰ２−Ｐ２線を基準として折り畳むと、半分の大きさになり、内面が外側に露出することでギターの図柄とＢＩＧＳＡＬＥの文字が隠れる状態になる（図１４、図１５）。符号２０１は、告知等をサインペン等の筆記具で記載できるように吹きだし状の記載スペースが設けられている。そして、山切り状や波型や局所的な打抜き形状等によって、ＰＯＰで斬新なデザインが表現されている。
【符号の説明】
【００４６】
１          本発明の自立式広告板、
２          基板、２０１  第１のシート、２０２  第２のシート、２０３  基材、
２１        基板の上部、
２２        第１の貼り合わせ部、２２ａ  端部、２２ｂ  嵌め合わせ部、
２５        脚部、
２６        脚規制部、
２７        第２の貼り合わせ部、２７ａ  端部、２７ｂ  嵌め合わせ部、
８          マグネットシート、
Ｐ１、Ｐ２、Ｐ３、Ｐ４            折線、
Ｐ１４、Ｐ２４、Ｐ３４，Ｐ４４    切断線
【図１】
2015232683.tif 000003
【図２】
2015232683.tif 000004
【図３】
2015232683.tif 000005
【図４】
2015232683.tif 000006
【図５】
2015232683.tif 000007
【図６】
2015232683.tif 000008
【図７】
2015232683.tif 000009
【図８】
2015232683.tif 000010
【図９】
2015232683.tif 000011
【図１０】
2015232683.tif 000012
【図１１】
2015232683.tif 000013
【図１２】
2015232683.tif 000014
【図１３】
2015232683.tif 000015
【図１４】
2015232683.tif 000016
【図１５】
2015232683.tif 000017
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
広告を表示させる基板が互いに部分的に貼り合わさっており、前記基板それぞれの下部に前記基板が貼り合わさっておらずに折り曲げて脚部とする折線があり、前記折線を利用して、一対となる前記脚部を開脚及び閉脚させる自立式広告板であって、
前記基板の貼り合わせは、前記広告板の中央よりも下で前記脚部と同じかそれよりも上の位置にて貼り合わさった第１の貼り合わせ部と、前記脚部よりも下の位置にて貼り合わさった第２の貼り合わせ部があり、前記第１の貼り合わせ部の嵌め合わせ部と前記第２の貼り合わせ部の嵌め合わせ部とが嵌め合わされることで、前記一対の脚部が開脚状態になることを特徴とする自立式広告板。
【請求項２】
前記第１の貼り合わせ部と前記第２の貼り合わせ部の間の位置に、前記基板が貼り合わさっていない脚規制部が前記脚部と連接して形成されており、前記広告板を直立させたときの前記脚部の開き角度が、前記脚規制部が前記一対の脚部の開脚した間に入り込むことによって規制されることを特徴とする請求項１記載の自立式広告板。
【請求項３】
前記広告板を直立させたときの前記脚部の接地とともに、前記第１の貼り合せ部と前記第２の貼り合わせ部の少なくとも一方が、前記一対の脚部の開脚した間の位置において接地することを特徴とする請求項１または２記載の自立式広告板。
【請求項４】
前記基板は、基材とその両側にそれぞれ接着された第１のシートと第２のシートからなる多層構造であることを特徴とする請求項１から３のいずれか一項記載の自立式広告板。
【請求項５】
前記折線に加えてさらに、前記広告板の中央部に前記広告板を上下に二つ折りにする折線を入れるとともに、前記広告板の上部に前記基板を互いに接離可能とするマグネットシートや面ファスナなどの接離手段を配したことを特徴とする請求項１から４のいずれか一項記載の自立式広告板。
【手続補正２】
【補正対象書類名】明細書
【補正対象項目名】００１０
【補正方法】変更
【補正の内容】
【００１０】
本発明の自立式広告板は、広告を表示させる基板が互いに部分的に貼り合わさっており、前記基板それぞれの下部に前記基板が貼り合わさっておらずに折り曲げて脚部とする折線があり、前記折線を利用して、一対となる前記脚部を開脚及び閉脚させることを特徴とする。
【手続補正３】
【補正対象書類名】明細書
【補正対象項目名】００１６
【補正方法】変更
【補正の内容】
【００１６】
本発明は、前記基板の貼り合わせは、前記広告板の中央よりも下で前記脚部と同じかそれよりも上の位置にて貼り合わさった第１の貼り合わせ部と、前記脚部よりも下の位置にて貼り合わさった第２の貼り合わせ部があり、前記第１の貼り合わせ部の嵌め合わせ部と前記第２の貼り合わせ部の嵌め合わせ部とが嵌め合わされることで、前記一対の脚部が開脚状態になることを特徴とする。
【手続補正４】
【補正対象書類名】明細書
【補正対象項目名】００２１
【補正方法】変更
【補正の内容】
【００２１】
本発明は、前記広告板を直立させたときの前記脚部の接地とともに、前記第１の貼り合わせ部又は前記第２の貼り合わせ部が、前記一対の脚部の開脚した間の位置において接地することを特徴とする。
【手続補正５】
【補正対象書類名】明細書
【補正対象項目名】００２２
【補正方法】変更
【補正の内容】
【００２２】
本発明によれば、前記開脚する一対の脚部を外側の脚部とすると、前記第１の貼り合わせ部又は前記第２の貼り合わせ部が中央の脚部となって、これらが接地することで接地面積が確保されて、より安定した自立姿勢となる。
【手続補正６】
【補正対象書類名】明細書
【補正対象項目名】００３２
【補正方法】変更
【補正の内容】
【００３２】
そして、前記基板２の下部に折り曲げて脚部２５とする折線P１−P１が入っており、この折線P１−P１を利用して、一対の脚部２５、２５を開脚させることによって自立可能な状態となる（図１と図２）。使用後は、折線P１−P１を利用して、一対の脚部２５、２５を閉脚させる（図８）。図１に示す例では、脚部２５は台形状を呈しており、その底辺の中ほどが切り取られた形状となっており、その左右の両端側が接地する脚部２５を形成する。一対の脚部２５、２５の位置では、基板２は貼りあわされておらず、左右に開脚する。
【手続補正７】
【補正対象書類名】明細書
【補正対象項目名】００３７
【補正方法】変更
【補正の内容】
【００３７】
図１１は、本実施形態に係る基板２の一部を拡大して示す側面図である。本実施形態は、前記基板２は、基材２３０とその両側にそれぞれ接着された第１のシート２１０と第２のシート２２０からなる多層構造であり、ここでは、三層構造となっている。基材２はスチレンボードであり、第１のシート２１０と第２のシート２２０は印刷された合成紙である。
【手続補正８】
【補正対象書類名】明細書
【補正対象項目名】００３９
【補正方法】変更
【補正の内容】
【００３９】
前記基板２、２の貼り合わせは、前記広告板の中央よりも下で脚部２５よりも上の位置にて貼り合わさった第１の貼り合わせ部２２と、脚部２５よりも下の位置にて貼り合わさった第２の貼り合わせ部２７があり、第１の貼り合わせ部２２の嵌め合わせ部２２ｂと第２の貼り合わせ部２７の嵌め合わせ部２７ｂとが嵌め合わされると、一対の脚部２５、２５が開脚状態になる（図５を参照）
【手続補正９】
【補正対象書類名】明細書
【補正対象項目名】００４６
【補正方法】変更
【補正の内容】
【００４６】
１               本発明の自立式広告板
２               基板、２１０  第１のシート、２２０  第２のシート、２３０  基材、
２１           基板の上部、
２２           第１の貼り合わせ部、２２ａ  端部、２２ｂ  嵌め合わせ部、
２５           脚部
２６           脚規制部、
２７           第２の貼り合わせ部、２７ａ  端部、２７ｂ  嵌め合わせ部、
８               マグネットシート、
P１、P２、P３、P４                       折線、
P１４、P２４、P３４、P４４       切断線
【手続補正１０】
【補正対象書類名】図面
【補正対象項目名】図１１
【補正方法】変更
【補正の内容】
【図１１】
2015232683.tif 000018
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
広告を表示させる基板が互いに部分的に貼り合わさっており、前記基板それぞれの下部に前記基板が貼り合わさっておらずに折り曲げて脚部とする折線があり、前記折線を利用して、一対となる前記脚部を開脚及び閉脚させる自立式広告板であって、
前記基板の貼り合わせは、前記広告板の中央よりも下で前記脚部と同じかそれよりも上の位置にて貼り合わさった第１の貼り合わせ部と、前記脚部よりも下の位置にて貼り合わさった第２の貼り合わせ部があり、前記第１の貼り合わせ部と前記第２の貼り合わせ部の間の位置に、前記基板が貼り合わさっていない脚規制部が前記脚部と連接して形成されており、前記第１の貼り合わせ部の嵌め合わせ部と前記第２の貼り合わせ部の嵌め合わせ部とが嵌め合わされることで、前記一対の脚部が開脚状態になることを特徴とする自立式広告板。
【請求項２】
前記広告板を直立させたときの前記脚部の開き角度が、前記脚規制部が前記一対の脚部の開脚した間に入り込むことによって規制されることを特徴とする請求項１記載の自立式広告板。
【請求項３】
前記広告板を直立させたときの前記脚部の接地とともに、前記第１の貼り合せ部と前記第２の貼り合わせ部の少なくとも一方が、前記一対の脚部の開脚した間の位置において接地することを特徴とする請求項１または２記載の自立式広告板。
【請求項４】
前記基板は、基材とその両側にそれぞれ接着された第１のシートと第２のシートからなる多層構造であることを特徴とする請求項１から３のいずれか一項記載の自立式広告板。
【請求項５】
前記折線に加えてさらに、前記広告板の中央部に前記広告板を上下に二つ折りにする折線を入れるとともに、前記広告板の上部に前記基板を互いに接離可能とするマグネットシートや面ファスナなどの接離手段を配したことを特徴とする請求項１から４のいずれか一項記載の自立式広告板。